(57)【要約】  本発明はいくつかの球状もしくは略球状部材（以下、球状部材）を有し、各球状部材（１）は少なくとも１つの孔（２）を有し、各球状部材が少なくとも１つの球状部材（１）と連結されている。隣接する２つの球状部材（１）の集合体は各球状部材（１）の対応する孔（２）のどちらかの側に挿入されたロッド（３）を用いて実現される。複数の球状部材（１）は各孔の軸が球状部材（１）の中心に向かって半径状に広がる、少なくとも２つの孔（２）、を具える。隣接した球状部材（１）のどちらかの側の球状部材（１）の空間位置は、互いに関連した孔（２）の角度的な空間位置によって達成される。共通の球状部材（１）の各隣接球状部材の集合体は、対応する孔（２）のどちらかの側の各ロッド（３）に挿入され、あるいはねじ込まれることによって達成される。すべての球状部材（１）の集合体は所望の形状を有するジュエリーアイテムを生み出す。【選択図】図２
2010535042.tif 000002
【特許請求の範囲】
【請求項１】
多数の球状もしくは略球状部材（１）（以下、「球状部材」）を有するジュエリーアイテムであって、各状形部材（１）は、断面がその長軸に沿って一定に維持された少なくとも１の孔（２）を有し、かつ、少なくとも１の隣接する球状部材（１）に固定されて整列され、２の隣接した球状部材（１）は各球状部材（１）の対応する孔（２）の片側に挿入され、かつその末端が前記に対応する孔（２）に整列されるように意図されたロッド（３）によって互いに連結され、前記ロッド（３）の長軸に沿って一定の横断面を有し、多数の球状部材（１）の各々は少なくとも２つの孔（２）を有し、各孔（２）の軸は前記球状部材（１）の中心に対し放射状に向けられ、前記隣接する球状部材（１）は、互いに空間的に角度づけられた孔の配向によって、１の共通の球状部材（１）のいずれかの側に空間的に配置され、各隣接する球状部材（１）は前記対応する孔（２）の片側に各ロッド（３）を打ち込み、あるいは接着結合することによって共通の球状部材（１）に連結され、各隣接する球状部材（１）は１又はそれ以上の他の隣接する球状部材（１）のための共通の球状部材（１）を構成可能であり、総ての前記球状部材（１）の連結が所望の形態のジュエリーアイテムを与えることを特徴とするジュエリーアイテム。
【請求項２】
請求項１に記載のジュエリーアイテムにおいて、各孔（２）の深さが前記球状部材（１）の半径と等しいかそれ以下であり、ロッド（３）の長さは前記２つの隣接した球状部材（１）が隣りあうように決定されることを特徴とするジュエリーアイテム。
【請求項３】
請求項１に記載のジュエリーアイテムにおいて、少なくとも球状部材（１）の１つ（以下、「主たる球状部材」（１’））が複数の孔（２）を有し、複数の球状部材（４）（以下、「周辺球状部材」）を前記主たる球状部材（１’）の周囲に配置しうることを特徴とするジュエリーアイテム。
【請求項４】
請求項３に記載のジュエリーアイテムにおいて、さらに前記主たる球状部材（１’）の直径より実質的に小さい直径を有する少なくとも１の周辺球状部材（４）を具え、前記周辺球状部材（４）はその中央を貫通する貫通孔（２）を有することを特徴とするジュエリーアイテム。
【請求項５】
請求項１乃至４のいずれか１項に記載のジュエリーアイテムにおいて、打ち込まれている前記ロッド（３）によって結合されている単一のブラインド孔（２）を有する少なくとも１の球状部材（１）をさらに有することを特徴とするジュエリーアイテム。
【請求項６】
請求項１乃至４のいずれか１項に記載のジュエリーアイテムにおいて、前記２つの隣接した球状部材（１）は、球状部材（１）の対応する孔（２）に前記ロッド（３）を打ち込むことによって内ねじを有するボア（２）、対応する外ねじに打ち込まれる両側の外ねじを有する前記ロッド（３）に互いに連結されていることを特徴とする前記ジュエリーアイテム。  
【請求項７】
請求項１乃至６のいずれか１項に記載のジュエリーアイテムにおいて、球状部材（１，１’，４）の少なくとも１つは真珠であることを特徴とするジュエリーアイテム。
【請求項８】
請求項１乃至７のいずれか１項に記載のジュエリーアイテムにおいて、球状部材（１，１’，４）の少なくとも１つは準貴石であることを特徴とするジュエリーアイテム。
【請求項９】
請求項１乃至８のいずれか１項に記載のジュエリーアイテムにおいて、球状部材（１，１’，４）の少なくとも１つは多数のファセットを有することを特徴とするジュエリーアイテム。
【発明の詳細な説明】
【技術分野】
【０００１】
本発明はジュエリーの分野に関し、より具体的には、多くの球形もしくは略球状の部材（以下、「球状部材」）を有し、それぞれの球状部材が少なくとも一つの別の球状部材とロッドで連結されているジュエリーアイテムに関する。
【背景技術】
【０００２】
複数の真珠のような、球状部材を有し、種々の手段により互いに連結された多くのジュエリーアイテムがすでに従来技術の一部となっている。
【０００３】
ＪＰ７３０３５０７公報は、多数の真珠を有し、そのいくつかが真珠のほぼ中央を貫通する貫通孔を有するネックレスを開示している。真珠は一つ以上のリング形状の実質的な剛性部材により相互に関連して配列されている。
【０００４】
ＷＯ２００５０５５７５６公報の一部は、特に、孔を貫通するロッドによって互いに保たれた多くの隣接する球状部材を連結させた連結組織を有するジュエリーアイテムを開示している。各ロッドは、力が加わると隣接した球状部材が離れるように構成されたコイルばねを有する。
【０００５】
これらの文書に開示された連結方法の不都合の一つは、球状部材の相互配列が空間的に制限されていることである。その結果、得られる形状は比較的限定されていた。
【０００６】
本発明の目的は、本質的に球形の多くの部材からなり、これらの部材の相互位置が所望の形状を獲得するために完全に制御されているジュエリーアイテムを提供することである。
【０００７】
本発明によると、この目的は請求項１に記載のジュエリーアイテムによって達成され、これは複数の球状部材もしくは略球状部材（以下「球状部材」）を具えている。各球状部材は少なくとも１つの孔を具え、少なくとも１つの隣接した球状部材に固定されるように設計される。２つの隣接する球状部材は、各球状部材の対応する孔のどちらかの側に挿入されたロッドを用いて連結される。複数の球状部材はそれぞれ少なくとも２つの孔を具え、各孔の軸は球状部材の中央に対して半径方向に向けられている。隣接する球状部材は、それぞれ互いに空間的に角度づけられた孔の配向によって、共通の球状部材のいずれかの側に空間的に配置される。隣接する球状部材はそれぞれ、各ロッドを対応する孔に打ち込み、接着結合、またはねじ込むことにより共通の球状部材に連結される。隣接した球状部材は、それぞれ１つまたはそれ以上別の隣接した球状部材のための共通の球状部材で構成できる。すべての球状部材の連結が所望の形状のジュエリーアイテムを与える。
【図面の簡単な説明】
【０００８】
本発明の特徴は、連結概念の複数の実施形態の説明を読むことにより一層明らかになり、前記実施形態は単に例示のために与えられ限定されておらず、以下の概略図によって説明される。
【図１】図１は、複数の球状部材を有するジュエリーアイテムを示す図である。
【図２】図２は、図１のＡ−Ａ線に沿った断面図である。
【図３】図３は、直径の小さな複数の球状部材がロッドによって周りに配列された主たる球状部材を示す斜視図である。
【図４】図４は、異なる角度における図３の斜視図である。
【図５】図５は、図４のＡ−Ａ線に沿った断面図である。
【０００９】
図１及び２に示された本発明の一実施例によると、ジュエリーアイテムは不定の次元の複数の球状部材（１）を含む。これらの球状部材（１）は、ロッド（３）により互いに固定され、各ロッド（３）は各部材（１）の対応する孔（２）の中にいずれかの側に打ち込まれている。
【００１０】
各孔（２）は、その軸が球状部材（１）の中心に向かって半径方向に向かうように設けられている。球状部材（１）の相互空間位置は、各球状素材（１）の孔（２）の互いの角度的な空間位置によってこのように決定される。本実施例では、孔（２）の向きは、すべての球状部材（１）が単一面上に配置されるように決定されている。
【００１１】
ロッド（３）の長さと孔（２）の深さは、２つの球状部材（１）が横並びまたは所定距離だけ互いに離れて位置するように決定される。本実施例において、孔（２）の深さは球状部材（１）の半径の約半分を表し、各ロッド（３）の長さは各部材（１）が所定のクリアランスを有するように決定される。
【００１２】
図３、４及び５は、多くの孔（２）を有する主たる球状部材（１’）を特徴とする結合概念の別の例を示し、その軸はそれぞれ球状部材の中心（１’）に対して方向づけられている。小径の球状部材（４）は、その中心を貫通する貫通孔（２）を具える。したがって、ロッド（３）の端部の一方は、主たる球状部材（１’）の放射軸上に配列された１またはそれ以上の他の球状部材（図示せず）に収容されてもよいが、１以上の球状部材（４）により隔てられている。
【００１３】
この記述の読解から、および関連する図面に照らして、本発明は例として上述した実施例に限定されるものではなく、逆に様々な変形実施例を含むことは明らかであり、本発明は主に、すべての球状部材を連結した後、結果としてのジュエリーアイテムを得るための、各球状部材に設けられた各向の相互的な角度方向に帰するものである。
【００１４】
したがって、各球状部材は１ないし多数の孔を有してもよく、これにより多数の球状部材を１の共通の球状部材と横並びに配置することができる。
【００１５】
さらにいわゆる球状部材は、略球状部材と呼ばれる不完全な形状を有してもよい。これは、球状部材が真珠である場合であり、真珠が完全な球状を有することは殆どない。略球状部材は、多数のファセット面を有する球状部材とも理解される。
【００１６】
球状部材は、簡単には準貴石であってもよい。従って、ジュエリーアイテムは例えば準貴石の真珠と交互から成ってもよい。
【００１７】
別の実施例では、角孔が内側ねじを具え、各ロッドが両側に外側ねじを具え、２つの真珠を一緒にネジ止めできるようにしてもよい。孔の中にロッドを接着結合することは、球状部材を連結する別の方法となりうる。
【００１８】
最後に、２つの球状部材を互いに固定するよう意図されたロッドは、ジュエリーアイテムに所定の弾力性を与えるべく柔軟であってもよい。
【図１】
2010535042.tif 000003
【図２】
2010535042.tif 000004
【図３】
2010535042.tif 000005
【図４】
2010535042.tif 000006
【図５】
2010535042.tif 000007
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
複数の球状もしくは略球状部材（１）（以下、「球状部材」）を有するジュエリーアイテムにであって、各状形部材（１）は、断面がその長軸に沿って一定に維持された少なくとも１の孔（２）を有し、かつ、少なくとも１の隣接する球状部材（１）に固定されて整列され、２の隣接する球状部材（１）は、各球状部材（１）の対応する孔（２）の片側に挿入され、かつ、その末端が前記対応する孔（２）に整列されるように意図されたロッド（３）によって互いに連結され、前記ロッド（３）の長軸に沿って一定の横断面を有し、多数の球状部材（１）の各々は少なくとも２のブラインド孔（２）を有し、少なくとも１の球状部材（１）の少なくとも２のブラインド孔（２）は、そこに打ち込まれた、あるいは接着結合された、１の対応するロッド（３）の末端を有し、各孔（２）の長軸は前記球状部材（１）の中心に対し半径方向に向けられ、前記隣接する球状部材（１）は互いに空間的に角度づけられた孔の配向によって１つの共通の球状部材（１）のいずれかの側に空間的に配置され、各隣接する球状部材（１）は前記対応する孔（２）の片側に各ロッド（３）を打ち込み、接着接合、あるいはねじ込まれることによって共通の球状部材（１）に連結され、少なくとも２つのブラインド孔（２）を有する各隣接する球状部材（１）は１又はそれ以上の他の隣接する球状部材（１）のための共通の球状部材（１）を構成可能であり、総ての前記球状部材（１）の連結が所望の形態のジュエリーアイテムを与えることを特徴とするジュエリーアイテム。
【請求項２】
請求項１に記載のジュエリーアイテムにおいて、各孔（２）の深さが前記球状部材（１）の半径と等しいかそれ以下であり、ロッド（３）の長さは前記２つの隣接した球状部材（１）が隣りあうように決定されることを特徴とするジュエリーアイテム。
【請求項３】
請求項１に記載のジュエリーアイテムにおいて、少なくとも球状部材（１）の１つ（以下、「主たる球状部材」（１’））が複数の孔（２）を有し、複数の球状部材（４）（以下、「周辺球状部材」）を前記主たる球状部材（１’）の周囲に配置しうることを特徴とするジュエリーアイテム。
【請求項４】
請求項３に記載のジュエリーアイテムにおいて、さらに前記主たる球状部材（１’）の直径より実質的に小さい直径を有する少なくとも１の周辺球状部材（４）を具え、前記周辺球状部材（４）はその中央を貫通する貫通孔（２）を有することを特徴とするジュエリーアイテム。
【請求項５】
請求項１に記載のジュエリーアイテムにおいて、単一のブラインド孔（２）を有する少なくとも１の球状部材（１）をさらに有することを特徴とするジュエリーアイテム。
【請求項６】
請求項１乃至５のいずれか１項に記載のジュエリーアイテムにおいて、前記２つの隣接した球状部材（１）は、球状部材（１）の対応する孔（２）に前記ロッド（３）を打ち込むことによって互いに連結されることを特徴とする前記ジュエリーアイテム。
【請求項７】
請求項１乃至６のいずれか１項に記載のジュエリーアイテムにおいて、球状部材（１，１’，４）の少なくとも１つは真珠であることを特徴とするジュエリーアイテム。
【請求項８】
請求項１乃至７のいずれか１項に記載のジュエリーアイテムにおいて、球状部材（１，１’，４）の少なくとも１つは準貴石であることを特徴とするジュエリーアイテム。  
【請求項９】
請求項１乃至８のいずれか１項に記載のジュエリーアイテムにおいて、球状部材（１，１’，４）の少なくとも１つは多数のファセットを有することを特徴とするジュエリーアイテム。
【国際調査報告】
2010535042.tif 000008
2010535042.tif 000009
2010535042.tif 000010
2010535042.tif 000011
2010535042.tif 000012
2010535042.tif 000013